(57)【要約】【課題】スリッパの出し入れが簡単で、且つ、収納時には安定した姿勢でスリッパを起立状態に保持することができる、スリッパ保持具を提供する。【解決手段】間隔を隔てて平行に対向配置される壁部材１２，１４と、壁部材１２，１４間に配置され、壁部材１２，１４を接続して起立状態に支持する接続支持部材１６，１８と、壁部材１２，１４の内面の上端寄りに位置し、壁部材１２，１４の内方に向いて対向配置される凸設部２２，２４間に設けられる狭窄口部２０と、壁部材１２，１４の上端から凸設部２２，２４にかけて漸次幅狭となるように形成され、狭窄口部２０に挿入されるスリッパＳの案内となる案内部３８，４０と、凸設部２２，２４よりも下方で壁部材１２，１４の高さ方向の中間部内面から下端側にかけて設けられ、スリッパＳの底板部１の接足面を圧接する圧接部６２，６４を含む、スリッパ保持具１０である。【選択図】図６
2011245076.tif 000002
【特許請求の範囲】
【請求項１】
底板部および甲被部を備えた左右一対の少なくとも１足以上のスリッパを起立状態に保持して収納するスリッパ保持具であって、
所定の間隔を隔てて平行に対向して配置される２つの壁部材、
前記２つの壁部材の間に配置され、前記２つの壁部材を接続して前記２つの壁部材を起立状態に支持する接続支持部材、
前記２つの壁部材内面の上端寄りに位置し、前記２つの壁部材の内方に向いて対向して設けられる２つの凸設部間に配置され、前記左右一対のスリッパの前記底板部の相対する接地面側を当接させた状態のスリッパの踵側が挿入される狭窄口部、
前記２つの壁部材の上端から前記２つの凸設部にかけて漸次幅狭となるように形成され、前記狭窄口部に挿入される前記スリッパの案内となる案内部、および
前記２つの凸設部よりも下方で前記２つの壁部材の高さ方向の中間部内面から下端側にかけて設けられ、前記スリッパの底板部の接足面を圧接する圧接部を含むことを特徴とする、スリッパ保持具。
【請求項２】
前記凸設部の下側には、前記凸設部と連接され、前記凸設部の凸設方向とは反対向きに凹設された凹設部をさらに含むことを特徴とする、請求項２に記載のスリッパ保持具。
【請求項３】
前記凸設部は、断面弓形状の膨出部を含み、前記案内部は、前記膨出部に連接される断面弧状の案内面を含み、前記凹設部は、その上側が前記膨出部の下側に連接され、その下側が前記圧接部の上側に連接される断面弧状の凹面を含む、請求項２に記載のスリッパ保持具。
【請求項４】
前記接続支持部材は、前記２つの壁部材の長さ方向の両側に配設される２つの他の壁部材を含み、前記２つの他の壁部材により前記２つの壁部材が接続されることによって、前記スリッパ保持具が筒状体に形成されることを特徴とする、請求項１〜請求項３のいずれか１項に記載のスリッパ保持具。
【発明の詳細な説明】
【技術分野】
【０００１】
本願発明は、スリッパ保持具に関し、たとえば玄関付近に配置され、スリッパを起立状態に保持して収納し、整理するのに好適なスリッパ保持具に関する。
【背景技術】
【０００２】
本願発明の背景となる従来技術の一例として、壁等に立て掛けて使用するスリッパ立てが提案されている（例えば、特許文献１参照）。このスリッパ立ては、上端から下端にかけて弧状に湾曲する正面視縦長矩形枠状の支柱で形成されたラック本体と、ラック本体の上下方向に間隔を隔てて配列される４つの平面視横長矩形状のリング枠片で形成されるスリッパホルダとを含み、ラック本体上部のハンドル部を把持することによって、当該スリッパ立ての持ち運びが簡便に行えるものとなっている。
この従来技術では、左右一対の１足のスリッパの底板部の踵側をリング枠片の開口部に挿入し、当該スリッパの甲被部の履き口端部を当該リング枠片の上端部に掛止させ、当該スリッパの足踏み部の爪先側裏面を当該リング枠片の上側のリング枠片の前端部に掛止させるようにして、１足のスリッパが上下２つのリング枠片間の２点（１つのリング枠片の上端部および当該リング枠片の上側のリング枠片の前端部）で支持されて保持されている。
【先行技術文献】
【特許文献】
【０００３】
【特許文献１】意匠登録第１３１２５８１号公報（第５頁、使用状態を示す参考図および使用状態を示す参考斜視図）
【発明の概要】
【発明が解決しようとする課題】
【０００４】
しかしながら、上記したようなスリッパ立てでは、上下４つのリング枠片の長手方向の軸線がそれぞれラック本体の両側の支柱の軸線と直交するように配設され、当該４つのリング枠片はそれぞれラック本体の手前側から奥側に傾斜した態様となっている。すなわち、４つのリング枠片の開口部は、それぞれ、当該リング枠片がスリッパ立ての設置面と水平に配置された場合と比べて、平面的にみて開口部の開口幅が幅狭となっている。
一方、この従来のスリッパ立てに左右一対のスリッパを保持させる場合には、左右一対のスリッパの甲被部の履き口を把持し、且つ、当該左右一対のスリッパを横並びにその姿勢を整えて、１つのリング枠片の開口部に挿入するものであるが、上記したように、リング枠片の開口幅が幅狭となっているため、時として、スリッパの足踏み部の踵側がリング枠片の開口部端縁に不用意に当たってスムーズに当該スリッパをリング枠片の開口部に挿入することができない虞があった。
それ以外にも、たとえば１つのリング枠片の上下に位置するリング枠片に左右一対のスリッパが既に保持されていた場合、挿入しようとしているスリッパの足踏み部の踵側が、既に保持されているスリッパに当たってスムーズにリング枠片の開口部に挿入できない虞があった。反対に、リング枠片から左右一対のスリッパを取り出す場合には、当該スリッパの足踏み部の爪先側が上側のリング枠片に保持されているスリッパの甲被部の履き口端部に当たってスムーズに取り出させない虞があった。
また、この従来のスリッパ立てでは、スリッパの足踏み部の全長が短い場合、当該スリッパの甲被部の履き口端部をリング枠片の上端部の１点に掛止させるだけの状態となって、当該リング枠片でのスリッパの保持姿勢が不安定なものとなっていた。
さらに、この従来のスリッパ立ては、湾曲したラック本体を壁等に立て掛けて使用する構造となっているため、ある程度の設置スペースが必要となり、たとえば玄関が広い住宅では特に問題ないが、ワンルームマンションやアパートのように玄関が狭い場合には設置場所に困り、不向きなものとなっている。つまり、この従来のスリッパ立てが設置スペースの狭い所に設置されていると、かえって人の移動の邪魔となって、見た目にも雑然としたものとなる。また、このスリッパ立て自体、何らかの外力で転倒する危険性があり、安全性の点でも不具合のあるものであった。
【０００５】
それゆえに、本願発明の主たる目的は、スリッパの出し入れが簡単で、且つ、収納時には安定した姿勢でスリッパを起立状態に保持することができる、スリッパ保持具を提供することである。
【課題を解決するための手段】
【０００６】
請求項１にかかる発明は、底板部および甲被部を備えた左右一対の少なくとも１足以上のスリッパを起立状態に保持して収納するスリッパ保持具であって、所定の間隔を隔てて平行に対向して配置される２つの壁部材と、２つの壁部材の間に配置され、２つの壁部材を接続して２つの壁部材を起立状態に支持する接続支持部材と、２つの壁部材内面の上端寄りに位置し、２つの壁部材の内方に向いて対向して設けられる２つの凸設部間に配置され、左右一対のスリッパの底板部の相対する接地面側を当接させた状態のスリッパの踵側が挿入される狭窄口部と、２つの壁部材の上端から前記２つの凸設部にかけて漸次幅狭となるように形成され、狭窄口部に挿入されるスリッパの案内となる案内部と、２つの凸設部よりも下方で２つの壁部材の高さ方向の中間部内面から下端側にかけて設けられ、スリッパの底板部の接足面を圧接する圧接部とを含むことを特徴とする、スリッパ保持具である。
請求項１にかかる本願発明では、上記した構成を有するので、案内部に案内されて狭窄口部に挿入された１足のスリッパの底板部が、狭窄口部を通過するときに、当該底板部が２つの凸設部により挟持圧を受けながら圧入される。案内部では、２つの壁部材の上端から２つの凸設部に至るに従って当該２つの壁部材の内面間の導入空間が順次狭くなるように設定されているため、当該案内部内面に沿って導入空間にスリッパが導入されて案内される。そして、当該底板部の下端側（踵側）から甲被部の履き口の近傍部位が狭窄口部を通過するとき、当該１足のスリッパが安定した起立状態となるように、底板部の姿勢が補整される。さらに、姿勢が補整された１足のスリッパは、狭窄口部の下方へとさらに挿入され、圧接部で当該スリッパの底板部の接足面が圧接されることにより、当該底板部が起立状態に挟持される。
結果的に、１足のスリッパは、当該スリッパの甲被部の履き口周縁の端部が案内部に掛止され、当該スリッパの底板部が圧接部で圧接されることによって、当該１足のスリッパは安定した起立状態で、スリッパ保持具に保持されて収納されるものとなる。つまり、請求項１にかかる本願発明のスリッパ保持具では、上記した案内部、狭窄口部および圧接部の３つの部位の協働作用によって、スリッパが安定した起立状態にその姿勢が補整され且つ当該起立状態が維持されるものとなっている。
上記した「スリッパの安定した起立状態」とは、左右一対のスリッパの底板部の相対する接地面側を略平行に当接させた状態で、且つ、当該当接させた姿勢がスリッパ保持具の設置面に対して略垂直に起立した姿勢となる状態を言うものである。この場合、左右一対のスリッパの底板部の対向する接地面において、当該スリッパの全長（底板部の全長）の略中央部およびその近傍が当接した状態となることによって、当該左右一対のスリッパの相対する底板部が略平行に隣接するものとなっている。すなわち、左右一対のスリッパの爪先側間の当接度合いと、踵側間の当接度合いを比べた場合、どちらか一方に当接度合いが偏ることがないように当該左右一対のスリッパの相対する底板部が略平行に隣接するものとなっている。
上記した請求項１にかかる本願発明では、左右一対のスリッパが案内部により案内されて狭窄口部に挿入されるとき、先ず、当該左右一対のスリッパの相対する底板部を重ね合わせた状態のたとえば甲被部側が把持されて案内部に挿入される。相対する甲被部側が把持された場合、相対する底板部の爪先側間の当接度合いが大きくなり、つまり、当該爪先側間の間隔より踵側間の間隔が広くなるが、重ね合わされた底板部の踵側が案内部を介して狭窄口部を通過する際には、当該底板部の踵側の接足面が凸設部間に挟持されて押圧されるため、広がった踵側間の間隔が狭められるものとなる。それから、狭窄口部を通過した底板部の踵側の接足面は、当該狭窄口部から離間され、圧接部に圧接される位置に到達する。また、スリッパの甲被部は、その履き口周縁の端部が案内部に掛止される位置に到達する。このとき、左右一対のスリッパの爪先側間の当接度合いと、踵側間の当接度合いとのバランスが取れ、当該左右一対のスリッパの相対する底板部が略平行に隣接する状態、すなわち、スリッパが安定した起立状態に維持されるものとなっている。
請求項２にかかる発明は、請求項１にかかる発明に従属する発明であって、凸設部の下側には、凸設部と連接され、凸設部の凸設方向とは反対向きに凹設された凹設部をさらに含むことを特徴とする、スリッパ保持具である。
請求項２にかかる発明では、上記した構成を有するので、狭窄口部を構成する対向配置された２つの凸設部の下側に形成されている凹設部によって、案内部を介して狭窄口部を通過したスリッパの底板部の姿勢が安定した起立状態となるように、当該底板部の姿勢が補足的に補整される。この場合、当該底板部は、凹設部に沿って下方に移動していくので、爪先側間の離間間隔と踵側間の離間間隔の開き度合いのバランスが取れるように補整される。そのため、狭窄口部を通過したスリッパの底板部は、凹設部を介して、圧接部にスムーズに到達するものとなっている。
請求項３にかかる発明は、請求項２にかかる発明に従属する発明であって、凸設部は、断面弓形状の膨出部を含み、案内部は、膨出部に連接される断面弧状の案内面を含み、凹設部は、その上側が膨出部の下側に連接され、その下側が圧接部の上側に連接される断面弧状の凹面を含む、スリッパ保持具である。
請求項３にかかる発明では、上記した構成を有するので、案内部の案内面、凸設部の膨出部および凹設部の凹面の作用によって、より一層、スリッパの安定した起立状態をスムーズに確保することが可能となっている。
請求項４にかかる発明は、請求項１〜請求項３のいずれか１項にかかる発明に従属する発明であって、接続支持部材は、２つの壁部材の長さ方向の両側に配設される２つの他の壁部材を含み、２つの他の壁部材により２つの壁部材が接続されることによって、当該スリッパ保持具が筒状体に形成されることを特徴とする、スリッパ保持具である。
請求項４にかかる発明では、上記した構成を有するので、スリッパ保持具が、２つの壁部材と、当該２つの壁部材を接続支持する２つの他の壁部材により筒状体に形成されるため、スリッパ保持具に起立状態に保持されて収納されたスリッパの甲被部を除く部位（底板部の長さ方向の下半分の部位）が、４つの壁部材により保護される。また、スリッパ保持具は、筒状体に形成されて底面を有しないため、スリッパ保持具の内部に埃等のゴミが溜まらず、清掃も簡便に行うことが可能となっている。しかも、スリッパ保持具に整然と起立状態に保持されたスリッパの収納態様は、当該スリッパ保持具が設置される玄関等の設置場所の美観も向上させるものとなっている。
【発明の効果】
【０００７】
本願発明にかかるスリッパ保持具によれば、スリッパの出し入れが簡単で、且つ、収納時には安定した姿勢でスリッパを起立状態に保持することができるという効果を奏するものである。
【０００８】
本願発明の上述の目的、その他の目的、特徴および利点は、図面を参照して行う以下の発明を実施するための形態の説明から一層明らかとなろう。
【図面の簡単な説明】
【０００９】
【図１】本願発明にかかるスリッパ保持具の一例を示す斜視図である。
【図２】（Ａ）は図１に示すスリッパ保持具の正面図であり、（Ｂ）はその平面図であり、（Ｃ）はその左側面図であり、（Ｄ）はその底面図である。
【図３】図１の線Ａ−Ａにおける断面図である。
【図４】図１の線Ｂ−Ｂにおける断面図である。
【図５】図１〜図４に示すスリッパ保持具の使用状態の一例を示す斜視図である。
【図６】相対する底板部の接地面側を当接させた左右一対の１足のスリッパを、図１〜図４に示すスリッパ保持具に入れて収納する途中の状態を示す断面的図解図である。
【図７】図１〜図４に示すスリッパ保持具に起立状態に保持されて収納された図６に示すスリッパを当該スリッパ保持具から取り出す途中の状態を示す断面的図解図である。
【図８】図１に示すスリッパ保持具の対向する凸設部間の間隔を検証するための簡易な試験の一例を示す断面的図解図である。
【図９】図１〜図４に示すスリッパ保持具の対向する凸設部間の間隔を検証するための簡易な試験の他の例を示す断面的図解図である。
【図１０】本願発明にかかるスリッパ保持具の他の例を示す斜視図である。
【図１１】本願発明にかかるスリッパ保持具のさらに他の例を示す斜視図である。
【図１２】（Ａ）は本願発明にかかるスリッパ保持具の別の例を示す平面図であり、（Ｂ）はその正面図であり、（Ｃ）はその底面図である。
【図１３】図１２の線Ａ−Ａにおける断面図である。
【図１４】図１２の線Ｂ−Ｂにおける断面図である。
【図１５】相対する底板部の接地面側を当接させた左右一対の１足のスリッパを、図１２，図１３および図１４に示すスリッパ保持具に入れて収納する途中の状態を示す断面的図解図である。
【図１６】図１２，図１３および図１４に示すスリッパ保持具に起立状態に保持されて収納された図１５に示すスリッパを当該スリッパ保持具から取り出す途中の状態を示す断面的図解図である。
【図１７】（Ａ）は本願発明にかかるスリッパ保持具のさらに別の例を示す平面図であり、（Ｂ）はその正面図であり、（Ｃ）はその底面図である。
【図１８】図１７の線Ａ−Ａにおける断面図である。
【図１９】相対する底板部の接地面側を当接させた左右一対の１足のスリッパを、図１７および図１８に示すスリッパ保持具に入れて収納する途中の状態を示す断面的図解図である。
【図２０】図１７および図１８に示すスリッパ保持具に起立状態に保持されて収納された図１９に示すスリッパを当該スリッパ保持具から取り出す途中の状態を示す断面的図解図である。
【発明を実施するための形態】
【００１０】
図１は、本願発明にかかるスリッパ保持具の一例を示す斜視図である。図２の（Ａ）は、図１に示すスリッパ保持具の正面図であり、図２の（Ｂ）は、その平面図であり、図２の（Ｃ）は、その左側面図であり、図２の（Ｄ）は、その底面図である。図３は、図１の線Ａ−Ａにおける断面図であり、図４は、図１の線Ｂ−Ｂにおける断面図である。
スリッパ保持具１０は、たとえば図５または図７の（Ａ）に示すように、左右一対の少なくとも１足以上のスリッパＳを当該スリッパ保持具１０に起立状態に保持して収納するものである。
【００１１】
そこで、先ず、本実施形態例にかかるスリッパ保持具１０に収納されるスリッパＳの一例について、たとえば図６の（Ａ），（Ｂ）を参照しながら、以下、簡単に説明する。すなわち、スリッパＳは、底板部１および甲被部３を含む。底板部１は、その裏面側が接地面となる本底５およびその表面側が接足面となるクッション性を備えた中敷部７を含む。中敷部７は、その踵側に踵部芯材９を有する。甲被部３は、山形状の態様を有し、甲被部３の履き口４は、底板部１に対して、甲被部３の突端部３ａから底板部１の長さ方向の中央よりも踵側寄りに斜めに傾斜する態様となっている。中敷部７は、底板部１の長さ方向の中央部から踵側にかけて弧状に隆起する態様となっている。
【００１２】
次に、スリッパ保持具１０について、たとえば図１〜図５および図６〜図７を参照しながら、以下、詳細に説明する。
スリッパ保持具１０は、特に、図１〜図４に示すように、所定の間隔を隔てて平行に対向して配置される２つの壁部材として、正面壁部材１２および背面壁部材１４を含む。正面壁部材１２および背面壁部材１４は、それぞれ、横長矩形状で同じ大きさに形成されている。正面壁部材１２および背面壁部材１４の長さ方向の一方端側間および他方端側間には、それぞれ、右側面壁部材１６および左側面壁部材１８が配設されている。右側面壁部材１６および左側面壁部材１８の２つの壁部材は、正面壁部材１２および背面壁部材１４を接続して当該２つ壁部材１２，１４を起立状態に支持する接続支持部材としての役割を有するものである。右側面壁部材１６および左側面壁部材１８は、たとえば縦長矩形状で同じ大きさに形成されている。
本実施形態例では、スリッパ保持具１０が４つの壁部材１２，１４，１６，１８によって、たとえば平面視横長矩形状の筒状体に形成されている。４つの壁部材１２，１４，１６，１８は、ポリストーン等のある程度重量確保が可能な材質で一体的に形成され、筒状体の態様を有するスリッパ保持具１０を形成している。なお、筒状体に形成されたスリッパ保持具１０の下端面には、たとえば図２，図３および図４に示すように、その四隅に、たとえば球冠状の滑り止め部１９が配設されている。滑り止め部１９は、粘弾性を有するシリコン等のプラスチック材やゴム材で形成されている。
【００１３】
また、スリッパ保持具１０は、特に、たとえば図１，図２の（Ｂ），図３および図４に示すように、４つの壁部材１２，１４，１６，１８の内面の上端寄りに位置するたとえば１つの狭窄口部２０を含む。この狭窄口部２０は、たとえば図５〜図７に示すように、上記した左右一対のスリッパＳの底板部１の相対する本底５の接地面側を略平行に当接させた状態のスリッパＳの踵側が挿入されるものとなっている。
狭窄口部２０は、たとえば図２〜図４に示すように、正面壁部材１２および背面壁部材１４の内方に向いて対向して設けられる２つの凸設部２２および２４と、右側面壁部材１６および左側面壁部材１８の内方に向いて対向して設けられる２つの凸設部２６および２８とで囲繞された部位に配置される。凸設部２２および２４は、それぞれ、たとえば断面弓形状の膨出部３０および３２を含み、凸設部２６および２８は、それぞれ、たとえば断面弓形状の膨出部３４および３６を含む。
この場合、膨出部３０および３２は、それぞれ、正面壁部材１２および背面壁部材１４の長手方向の一方側から他方側に亘って連続して一体的に形成されている。同様に、膨出部３４および３６は、それぞれ、右側面壁部材１６および左側面壁部材１８の長手方向の一方側から他方側に亘って連続して一体的に形成されている。
狭窄口部２０は、２つの壁部材１２，１４の内方に向いて対向する２つの膨出部３０および３２の凸端間で、且つ、他の２つの壁部材１６，１８の内方に向いて対向する２つの膨出部３４および３６の凸端間に配置されるものとなっている。
【００１４】
さらに、スリッパ保持具１０は、たとえば図６〜図７に示すように、上記した狭窄口部２０に挿入されるスリッパＳの案内となる案内部３８，４０，４２，４４を含む。案内部３８および４０は、図１，図２の（Ｂ），図３および図４等に示すように、それぞれ、正面壁部材１２および背面壁部材１４の上端から２つの凸設部２２および２４にかけて漸次幅狭となるように形成されている。案内部３８および４０は、それぞれ、上記した膨出部３０および３２に連接されるたとえば断面弧状の案内面４６および４８を含み、案内部４２および４４は、それぞれ、上記した膨出部３４および３６に連接されるたとえば断面弧状の案内面５０および５２を含む。
【００１５】
また、スリッパ保持具１０は、特に、たとえば図１，図２の（Ｂ），図３および図４に示すように、上記した凸設部２２および２４の下側において、当該凸設部２２および２４と連接され、凸設部２２および２４の凸設方向とは反対向きに凹設された凹設部５４および５６を含む。凹設部５４および５６の下側には、それぞれ、正面壁部材１２および背面壁部材１４の高さ方向の中間部内面から下端側にかけて、たとえば図６〜図７に示すように、スリッパＳの中敷部７を圧接する圧接部６２および６４が配設されている。圧接部６２および６４は、互いに平行で且つ垂直な直線状に形成されている。
この場合、凹設部５４および５６は、それぞれ、断面弧状の凹面５４ａおよび５６ａを含む。凹面５４ａは、その上側が上記した膨出部３０の下側に連接され、その下側が圧接部６２の上側に連接される。凹面５６ａは、その上側が上記した膨出部３２の下側に連接され、その下側が圧接部６４の上側に連接されている。
【００１６】
一方、上記した凸設部２６および２８の下側には、当該凸設部２６および２８と連接され、凸設部２６および２８の凸設方向とは反対向きに凹設された凹設部５８および６０が配設されている。凹設部５８および６０の下側には、それぞれ、右側面壁部材１６および左側面壁部材１８の高さ方向の中間部内面から下端側にかけて、スリッパＳの底板部１の側面側を圧接可能となり得る圧接部６６および６８が配設されている。圧接部６６および６８は、互いに平行で且つ垂直な直線状に形成されている。
この場合、凹設部５８および６０は、それぞれ、断面弧状の凹面５８ａおよび６０ａを含む。凹面５８ａは、その上側が上記した膨出部３４の下側に連接され、その下側が圧接部６６の上側に連接される。凹面６０ａは、その上側が上記した膨出部３６の下側に連接され、その下側が圧接部６８の上側に連接されている。
【００１７】
本実施形態例では、たとえば図６の（Ａ）に示すように、正面壁部材１２および背面壁部材１４の内方に向いて対向する２つの膨出部３０および３２の凸端間の間隔をＷ１とし、圧接部６２および６４間の間隔をＷ２としたとき、Ｗ１＝６０ｍｍ、Ｗ２＝６８ｍｍに設定されている。また、右側面壁部材１６および左側面壁部材１８の内方に向いて対向する２つの膨出部３４および３６の凸端間の間隔は、たとえば２０４ｍｍに設定されている。すなわち、本実施形態例では、スリッパ保持具１０の狭窄口部２０が平面視で、幅６０ｍｍ×長さ２０４ｍｍの大きさに設定されている。なお、スリッパ保持具１０の高さＨは、たとえば１２７ｍｍに設定されている。
一方、当該スリッパ保持具１０に収納される左右一対のスリッパＳの底板部１の相対する本底５の接地面側を当接させた状態での通常時の底板部１の最大厚みをｗmaxとし、中敷部７が外力により圧縮された場合の底板部１の最小厚みをｗminとしたとき、ｗmax≒７０ｍｍ、ｗmin≒５０ｍｍに形成されている。
この場合、本実施形態例では、ｗmax＞Ｗ２＞Ｗ１＞ｗminの関係を満足するように、Ｗ１およびＷ２の寸法が形設定されている。
【００１８】
上記したｗmaxおよびｗminを有するスリッパＳを本実施形態例のスリッパ保持具１０に適用したときに、Ｗ１の設定を検証するにあたって行われた本願発明者の簡易な試験によれば、たとえば図７の（Ａ）に示すように、Ｗ１＝６０ｍｍの場合、当該スリッパ保持具１０の材質が摩擦係数の比較的大きいたとえば革製であっても、当該スリッパＳを支障なく出し入れすることが可能であった。ところが、Ｗ１＝５５ｍｍの場合、たとえば図７の（Ｂ）に示すように、同じ革製のスリッパ保持具１０の出し入れを支障なくする事が困難となり、特に、スリッパ保持具１０から当該スリッパＳを取り出すことができない場合があった。
【００１９】
また、上記したｗmaxおよびｗminを有するスリッパＳを本実施形態例のスリッパ保持具１０に適用したときに、Ｗ１の設定を検証するにあたって行われた本願発明者の簡易な他の試験によれば、たとえば図８の（Ａ），（Ｂ）に示すように、Ｗ１＝６５ｍｍの場合で、且つ、当該スリッパ保持具１０の材質が摩擦係数の比較的小さいたとえば布製の場合には、当該スリッパＳを支障なく出し入れすることは可能であるが、狭窄口部２０の周縁端縁での引っ掛かりがなく、当該スリッパＳを無造作に入れると、特に、図８の（Ｂ）に示すように、収まりの悪い収納状態となる事がわかった。
それゆえ、本実施形態例では、たとえばＷ１＝６０ｍｍに設定されている。
【００２０】
本実施形態例にかかるスリッパ保持具１０の作用・効果について、特に、図６および図７等を参照しながら、以下、詳細に説明する。
当該スリッパ保持具１０では、既述したように、左右一対のスリッパＳの底板部１の相対する本底５の接地面側を当接させた状態で、主として、案内部３８の案内面４６および案内部４０の案内面４８に案内されて、狭窄口部２０に差し込まれる。スリッパの底板部１が、狭窄口部２０を通過するときには、底板部１が２つの凸設部２２の膨出部３０および凸設部２４の膨出部３２により挟持圧を受けながら圧入される。案内面４６および案内面４８間では、正面壁部材１２および背面壁部材１４の上端から、膨出部３０および３２に至るに従って当該２つの壁部材１２および１４の内面間の導入空間が順次狭くなるように設定されているため、スリッパＳは膨出部３０および３２の内面に沿って当接しながら、且つ、挟持圧を受けながら、当該導入空間に導入されて下方へと案内されていく。
【００２１】
さらに、当該スリッパＳの底板部１の下端側（踵側）から甲被部３の履き口４の近傍部位が狭窄口部２０を通過するとき、当該スリッパＳが安定した起立状態となるように、底板部１の姿勢が補整される。そして、姿勢が補整されたスリッパＳは、引き続き、狭窄口部２０の下側の凹設部５４の凹面５４ａおよび凹設部５６の凹面５６ａに挿入されていく。凹面５４ａおよび凹面５６ａによって、案内面４６および案内面４８を介して狭窄口部２０を通過したスリッパＳの底板部１の姿勢が安定した起立状態となるように補足的に補整される。そのため、狭窄口部２０を通過したスリッパＳの底板部１は、凹設部５４および５６を介して、圧接部６２および６４にスムーズに到達するものとなる。圧接部６２および６４では、スリッパＳの底板部１の接足面側が圧接されることにより、当該底板部１が安定した起立状態に挟持されるものとなる。
なお、本実施形態例では、案内部３８の案内面４６，案内部４０の案内面４８、凸設部２２の膨出部３０，凸設部２４の膨出部３２、および、凹設部５４の凹面５４ａ，凹設部５６の凹面５６ａが連接されているので、それらの部位での機能が効果的に作用して、より一層、スリッパＳの安定した起立状態をスムーズに確保することができる。
【００２２】
スリッパＳは、当該スリッパＳの甲被部３の履き口４の周縁端部が案内部３８の案内面４６および案内部４０の案内面４８に掛止され、当該スリッパＳの底板部１が圧接部６２および６４で圧接されることによって、スリッパＳは安定した起立状態で、スリッパ保持具１０に保持されて収納される。すなわち、このスリッパ保持具１０では、案内部３８，４０、狭窄口部２０および圧接部６２，６４の３つの部位の協働作用によって、スリッパＳが安定した起立状態にその姿勢が補整され且つ当該起立状態が維持されるものとなる。
【００２３】
本実施形態例で言う「スリッパの安定した起立状態」とは、左右一対のスリッパＳの底板部１の相対する接地面側を略平行に当接させた状態で、且つ、当接させた姿勢がスリッパ保持具１０の設置面に対して略垂直に起立した姿勢となる状態を言うものである。この場合、左右一対のスリッパＳの底板部１の対向する接地面において、スリッパＳの全長（底板部の全長）の略中央部およびその近傍が当接した状態となることによって、左右一対のスリッパＳの相対する底板部１が略平行に隣接するものとなっている。すなわち、左右一対のスリッパＳの爪先側間の当接度合いと、踵側間の当接度合いを比べた場合、どちらか一方に当接度合いが偏ることがないように左右一対のスリッパＳの相対する底板部１が略平行に隣接するものとなっている。
【００２４】
本実施形態例では、左右一対のスリッパＳが案内部３８の案内面４６および案内部４０の案内面４８により案内されて狭窄口部２０に挿入されるとき、先ず、左右一対のスリッパＳの相対する底板部１を重ね合わせた状態のたとえば甲被部３側が把持されて案内面４６および案内面４８に挿入される。相対する甲被部３側が把持された場合、相対する底板部１の爪先側間の当接度合いが大きくなり、つまり、当該爪先側間の間隔より踵側間の間隔が広くなるが、重ね合わされた底板部１の踵側が案内面４６および案内面４８を介して狭窄口部２０を通過する際には、当該底板部１の踵側の接足面が凸設部２２の膨出部３０および凸設部２４の膨出部３２間に挟持されて押圧されるため、広がった踵側間の間隔が狭められるものとなる。
それから、狭窄口部２０を通過した底板部１の踵側の接足面は、当該狭窄口部２０から離間され、凹設部５４の凹面５４ａおよび凹設部５６の凹面５６ａに挿入される。この場合、スリッパＳの底板部１は、当該凹面５４ａおよび凹面５６ａに沿って下方に移動していくので、底板部１の爪先側間の離間間隔と踵側間の離間間隔の開き度合いのバランスが取れるように、当該底板部１の姿勢が補整される。それから、凹設部５４および５６を通過したスリッパＳの底板部１は、引き続いて、下方へと挿入され、圧接部６２および６４に圧接される位置に到達する。また、スリッパＳの甲被部３は、その履き口４の周縁端部が案内面４６および案内面４８に掛止される位置に到達する。このとき、左右一対のスリッパＳの爪先側間の当接度合いと、踵側間の当接度合いとのバランスが取れ、当該左右一対のスリッパＳの相対する底板部１が略平行に隣接する状態、すなわち、スリッパＳが安定した起立状態に維持されるものとなる。
【００２５】
上述した実施形態例のスリッパ保持具１０では、正面壁部材１２，背面壁部材１４と、当該２つの壁部材１２，１４を接続支持する右側面壁部材１６，左側面壁部材１８により平面視横長矩形状の筒状体に形成されているため、スリッパ保持具１０に起立状態に保持されて収納されたスリッパＳの甲被部３を除く部位は、当該４つの壁部材１２，１４，１６，１８により保護される。この場合、スリッパ保持具１０は、筒状体に形成されて底面を有しないため、スリッパ保持具１０の内部に埃等のゴミが溜まらず、清掃も簡便に行うことができる。しかも、スリッパ保持具１０に整然と起立状態に保持されたスリッパＳの収納態様は、当該スリッパ保持具１０が設置される玄関等の設置場所の美観も向上させることができる。
【００２６】
図１０は、本願発明にかかるスリッパ保持具の他の例を示す斜視図であり、図１１は、本願発明にかかるスリッパ保持具のさらに他の例を示す斜視図である。
図１０および図１１に示すスリッパ保持具１０の基本的構造は、上述した実施形態例にかかるスリッパ保持具１０と同様の基本的構造を有するものではあるが、図１〜図７を参照しながら説明した実施形態例にかかるスリッパ保持具１０と比べて、特に、図１０に示すスリッパ保持具１０は、右側面壁部材１６が設けられておらず、また、図１１に示すスリッパ保持具１０は、右側面壁部材１６および左側面壁部材１８が設けられていないものとなっている。
この場合、図１０に示すスリッパ保持具１０では、正面壁部材１２および背面壁部材１４が、左側面壁部材１８により、起立状態に接続支持されている。また、図１１に示すスリッパ保持具１０では、正面壁部材１２および背面壁部材１４が、たとえば平面視横長矩形状の底面壁部材７０により、起立状態に接続支持されている。
【００２７】
図１２の（Ａ）は、本願発明にかかるスリッパ保持具の別の例を示す平面図であり、図１２の（Ｂ）は、その正面図であり、図１２の（Ｃ）は、その底面図である。図１３は、図１２の線Ａ−Ａにおける断面図であり、図１４は、図１２の線Ｂ−Ｂにおける断面図である。
図１２，図１３および図１４の実施形態例では、図１〜図７で示した実施形態例と比べて、特に、凸設部２２および２４が、それぞれ、たとえばプレート状の凸設片７２および７４を含み、案内部３８、凹設部５４および圧接部６２は、凸設片７２と一体的にプレート状に形成されている点で相違している。同様に、案内部４８、凹設部５６および圧接部６４は、凸設片７２と一体的にプレート状に形成されている。この場合、プレート状に一体的に形成された案内部３８、凸設片７２、凹設部５４および圧接部６２は、正面壁部材１２の長手方向の一方端側から他方端側に所定の間隔を隔てて、多数、配置されている。同様に、プレート状に一体的に形成された案内部４８、凸設片７２、凹設部５６および圧接部６４は、背面壁部材１４の長手方向の一方端側から他方端側に所定の間隔を隔てて、多数、配置されている。
【００２８】
さらに、図１２，図１３および図１４の実施形態例では、図１〜図７で示した実施形態例と比べて、圧接部６２および６４は、当該スリッパ保持具１０の下端にいくに従って順次幅広となるテーパ面７６および７８を含む点で相違している。なお、右側面壁部材１６および１８の内面も、当該スリッパ保持具１０の下端にいくに従って順次幅広となるテーパ面８０および８２を含む構成となっている。
【００２９】
図１２〜図１４の実施形態例では、たとえば図１５の（Ａ）に示すように、テーパ面７６および７８面間の最も幅広の部位の間隔をＷ２とし、凸設片７２および７４間の間隔をＷ１とし、たとえば図６の（Ａ）に示すように、図１２〜図１４に示すスリッパ保持具１０に収納される左右一対のスリッパＳの底板部１の相対する本底５の接地面側を当接させた状態での通常時の底板部１の最大厚みをｗmaxとし、中敷部７が外力により圧縮された場合の底板部１の最小厚みをｗminとしたとき、ｗmax＞Ｗ２＞Ｗ１＞ｗminの関係を満足するように、Ｗ１およびＷ２の寸法が設定され得る。
【００３０】
図１２〜図１４に示す実施形態例においても、図１〜図７で示した実施形態例と同様に、たとえば図１５および図１６に示すように、左右一対のスリッパＳの底板部１の相対する本底５の接地面側を当接させた状態で、当該スリッパＳを安定した起立状態でスリッパ保持具１０内に保持して収納することができると共に、当該スリッパＳの出し入れについても不都合を来たすこともない。
【００３１】
図１７の（Ａ）は、本願発明にかかるスリッパ保持具のさらに別の例を示す平面図であり、図１７の（Ｂ）は、その正面図であり、図１７の（Ｃ）は、その底面図である。図１８は、図１７の線Ａ−Ａにおける断面図である。
図１７および図１８の実施形態例では、図１〜図７で示した実施形態例と比べて、特に、凸設部２２および２４が、それぞれ、たとえば直線状の垂直面部８４および８６を含み、案内部３８および４０が、それぞれ、たとえば弓形状の湾曲面部８８および９０を含む点で相違している。この場合、湾曲面部８８および９０は、図１８に示すように、それぞれ、正面壁部材１２および背面壁部材１４の上端部から、内方に向けて突出するように延設され、且つ、垂直面部８４および８６は、当該正面壁部材１２および背面壁部材１４の内面と離間した状態で配置されている。また、垂直面部８４と湾曲面部８８とは一体的に形成され、垂直面部８６と湾曲面部９０とは、一体的に形成されている。
【００３２】
図１７および図１８に示す実施形態例においても、図１〜図７で示した実施形態例と同様に、たとえば図１９および図２０に示すように、左右一対のスリッパＳの底板部１の相対する本底５の接地面側を当接させた状態で、当該スリッパＳを安定した起立状態でスリッパ保持具１０内に保持して収納することができると共に、当該スリッパＳの出し入れについても不都合を来たすこともない。
【符号の説明】
【００３３】
Ｓ  スリッパ
１  底板部
３  甲被部
４  履き口
５  本底
７  中敷部
９  踵部芯材
１０  スリッパ保持具
１２  正面壁部材
１４  背面壁部材
１６  右側面壁部材
１８  左側面壁部材
１９  滑り止め部
２０  狭窄口部
２２，２４，２６，２８  凸設部
３０，３２，３４，３６  膨出部
３８，４０，４２，４４  案内部
４６，４８，５０，５２  案内面
５４，５６，５８，６０  凹設部
５４ａ，５６ａ，５８ａ，６０ａ  凹面
６２，６４，６６，６８  圧接部
７０  底面壁部材
７２，７４  凸設片
７６，７８，８０，８２  テーパ面
８４，８６  垂直面部
８８，９０  湾曲面部
【図１】
2011245076.tif 000003
【図２】
2011245076.tif 000004
【図３】
2011245076.tif 000005
【図４】
2011245076.tif 000006
【図５】
2011245076.tif 000007
【図６】
2011245076.tif 000008
【図７】
2011245076.tif 000009
【図８】
2011245076.tif 000010
【図９】
2011245076.tif 000011
【図１０】
2011245076.tif 000012
【図１１】
2011245076.tif 000013
【図１２】
2011245076.tif 000014
【図１３】
2011245076.tif 000015
【図１４】
2011245076.tif 000016
【図１５】
2011245076.tif 000017
【図１６】
2011245076.tif 000018
【図１７】
2011245076.tif 000019
【図１８】
2011245076.tif 000020
【図１９】
2011245076.tif 000021
【図２０】
2011245076.tif 000022